(57)【要約】【課題】簡単な作業で間仕切壁の位置変更を行うことができる間仕切壁構造および固定金具を提供することを課題とする。【解決手段】パネル状の壁ユニット１０を備えた間仕切壁構造１であって、壁ユニット１０は、磁石２５を介して天井下地材２に固定されていることを特徴とする。壁ユニット１０の頂部には、凹溝１１が形成されており、凹溝１１には、磁石２５を備えた断面Ｌ字状の固定アングル材２０の一片２１が挿入されているものが好ましい。【選択図】図１
2018204360.tif 000002
【特許請求の範囲】
【請求項１】
パネル状の壁ユニットを備えた間仕切壁構造であって、
前記壁ユニットは、磁石を介して天井下地材に固定されている
ことを特徴とする間仕切壁構造。
【請求項２】
前記壁ユニットの頂部には、凹溝が形成されており、
前記凹溝には、磁石を備えた断面Ｌ字状の固定アングル材の一片が挿入されている
ことを特徴とする請求項１に記載の間仕切壁構造。
【請求項３】
前記壁ユニットの上端面と前記凹溝に挿入された前記固定アングル材の上端面は、面一となっている
ことを特徴とする請求項２に記載の間仕切壁構造。
【請求項４】
前記壁ユニットは、前記壁ユニットの頂部を覆う壁固定部と、磁石を装着する磁石装着部とを有する固定金具によって前記天井下地材に固定されている
ことを特徴とする請求項１に記載の間仕切壁構造。
【請求項５】
前記壁固定部は、下向き溝形状を呈しており、
前記磁石装着部は、前記壁固定部の上部に一体形成され横向き溝形状を呈している
ことを特徴とする請求項４に記載の間仕切壁構造。
【請求項６】
前記壁ユニットの頂部には、仮固定用の磁石が装着されており、
前記壁ユニットは、ビスを介して前記天井下地材に本固定されている
ことを特徴とする請求項１に記載の間仕切壁構造。
【請求項７】
前記磁石は、膜部材からなる天井材を挟んで前記天井下地材に磁着されている
ことを特徴とする請求項１乃至請求項６のいずれか一項に記載の間仕切壁構造。
【請求項８】
間仕切壁のスタッドと、前記スタッドを天井下地材に固定するための固定金具と、前記スタッドに貼り付けられる壁材とを備えており、
固定金具は、前記スタッドの頂部を覆う壁固定部と、磁石を装着する磁石装着部とを有し、
前記壁固定部は、下向き溝形状を呈しており、
前記磁石装着部は、前記壁固定部の上部に一体形成され横向き溝形状を呈しており、
前記壁固定部には、前記スタッドの上端部が挿入された状態で固定されている
ことを特徴とする間仕切壁構造。
【請求項９】
間仕切用の壁ユニットを天井下地材に固定するための固定金具であって、
断面Ｌ字状の固定アングル材からなり、
前記固定アングル材の一片は、前記壁ユニットの頂部に固定される壁ユニット固定部となり、
前記固定アングル材の他片は、前記天井下地材に磁着するための磁石が設けられた天井下地材固定部となる
ことを特徴とする固定金具。
【請求項１０】
間仕切用の壁ユニットを天井下地材に固定するための固定金具であって、
前記壁ユニットの頂部を覆う壁固定部と、磁石を装着する磁石装着部とを有する固定金具をさらに備え、
前記壁固定部は、下向き溝形状を呈しており、
前記磁石装着部は、前記壁固定部の上部に一体形成され横向き溝形状を呈している
ことを特徴とする固定金具。
【発明の詳細な説明】
【技術分野】
【０００１】
本発明は、間仕切壁構造および固定金具に関する。
【背景技術】
【０００２】
一般的に室内に設けられる間仕切壁は、床部に設けられた床ランナと天井部に設けられた天井ランナ間に、スタッドが立設されており、その外側に壁面材を貼り付けることで形成されている（たとえば特許文献１参照）。床ランナと天井ランナは、溝型のチャンネル材にて構成されている。スタッドは、薄板状の帯鋼を折り曲げ加工してなる角パイプや溝型材にて構成されている。
【先行技術文献】
【特許文献】
【０００３】
【特許文献１】特開平９−１００５９０号公報
【発明の概要】
【発明が解決しようとする課題】
【０００４】
ところで、マンションや一戸建て等の住居の居室では、子供の成長に応じて、部屋のレイアウトを変えることが多いが、間仕切壁の位置も変更できるとレイアウトの自由度が増すこととなる。しかしながら、一般的な間仕切壁は、壁先行で施工して、間仕切壁の間に天井を設置する場合が多いので、間仕切壁の位置変更を行うには、大掛かりなリフォーム工事が必要となり、多くの時間と費用を要する。したがって、間仕切壁の位置変更は断念されることが多かった。また、特許文献１の間仕切壁は、天井先行で施工できるが、天井ランナを設けて、スタッドを設置しているので、作業手間が煩雑で、多くの時間と費用を要するという問題があった。
【０００５】
このような観点から、本発明は、簡単な作業で間仕切壁の位置変更を行うことができる間仕切壁構造および固定金具を提供することを課題とする。
【課題を解決するための手段】
【０００６】
前記課題を解決するための第一の発明は、パネル状の壁ユニットを備えた間仕切壁構造であって、前記壁ユニットは、磁石を介して天井下地材に固定されていることを特徴とする。
【０００７】
このような間仕切壁構造によれば、壁をユニット化しているので、ランナやスタッドを組み付ける必要がない。したがって、壁ユニットの移動が容易である。また、磁石を介して壁ユニットを天井下地材に固定しているので、特別な工具を用いることなく容易に固定作業を行うことができる。
【０００８】
また、前記間仕切壁構造では、前記壁ユニットの頂部には、凹溝が形成されており、前記凹溝には、磁石を備えた断面Ｌ字状の固定アングル材の一片が挿入されているものが好ましい。このような間仕切壁構造によれば、磁石を備えた固定アングル材を壁ユニットに容易に固定することができる。
【０００９】
さらに、前記間仕切壁構造では、前記壁ユニットの上端面と前記凹溝に挿入された前記固定アングル材の上端面は、面一となっているものが好ましい。このような間仕切壁構造によれば、壁ユニットの天端と固定アングル材の天端を天井面に対して隙間なく取り付けることができる。
【００１０】
また、前記間仕切壁構造では、前記壁ユニットは、前記壁ユニットの頂部を覆う壁固定部と、磁石を装着する磁石装着部とを有する固定金具によって前記天井下地材に固定されているものが好ましい。このような間仕切壁構造によれば、固定金具を壁ユニットに容易に固定することができるとともに、固定金具を天井下地材に容易に固定することができる。
【００１１】
さらに、前記間仕切壁構造では、前記壁固定部は、下向き溝形状を呈しており、前記磁石装着部は、前記壁固定部の上部に一体形成され横向き溝形状を呈しているものが好ましい。このような間仕切壁構造によれば、固定金具の構成が単純で容易に形成することができる。
【００１２】
また、前記間仕切壁構造では、前記壁ユニットの頂部には、仮固定用の磁石が装着されており、前記壁ユニットは、ビスを介して前記天井下地材に本固定されているものが好ましい。このような間仕切壁構造によれば、壁ユニットを容易に天井下地材に固定できるので、壁ユニットの移動が容易である。
【００１３】
さらに、前記間仕切壁構造では、前記磁石は、膜部材からなる天井材を挟んで前記天井下地材に磁着されているものが好ましい。このような間仕切壁構造によれば、磁石の磁力が比較的弱くても天井下地材に固定できる。
【００１４】
前記課題を解決するための第二の発明は、間仕切壁のスタッドと、前記スタッドを天井下地材に固定するための固定金具と、前記スタッドに貼り付けられる壁材とを備えており、固定金具は、前記スタッドの頂部を覆う壁固定部と、磁石を装着する磁石装着部とを有し、前記壁固定部は、下向き溝形状を呈しており、前記磁石装着部は、前記壁固定部の上部に一体形成され横向き溝形状を呈しており、前記壁固定部には、前記スタッドの上端部が挿入された状態で固定されていることを特徴とする。このような間仕切壁構造によれば、間仕切壁の天井への固定を容易に行えるとともに、通常のスタッドおよび壁材を用いて間仕切壁を形成することができる。
【００１５】
前記課題を解決するための第三の発明は、間仕切用の壁ユニットを天井下地材に固定するための固定金具であって、断面Ｌ字状の固定アングル材からなり、前記固定アングル材の一片は、前記壁ユニットの頂部に固定される壁ユニット固定部となり、前記固定アングル材の他片は、前記天井下地材に磁着するための磁石が設けられた天井下地材固定部となることを特徴とする。このような固定金具によれば、壁ユニットを容易に天井下地材に固定できるので、壁ユニットの移動が容易である。
【００１６】
また、前記課題を解決するための第四の発明は、間仕切用の壁ユニットを天井下地材に固定するための固定金具であって、前記壁ユニットの頂部を覆う壁固定部と、磁石を装着する磁石装着部とを有する固定金具をさらに備え、前記壁固定部は、下向き溝形状を呈しており、前記磁石装着部は、前記壁固定部の上部に一体形成され横向き溝形状を呈していることを特徴とする。このような固定金具によれば、壁ユニットを容易に天井下地材に固定できるので、壁ユニットの移動が容易である。
【発明の効果】
【００１７】
本発明に係る間仕切壁構造および固定金具によれば、簡単な作業で間仕切壁の位置変更を行うことができる。
【図面の簡単な説明】
【００１８】
【図１】本発明の第一実施形態に係る間仕切壁構造を下方から見上げた斜視図である。
【図２】本発明の第一実施形態に係る間仕切壁構造の固定アングル材を示した斜視図である。
【図３】本発明の第一実施形態に係る間仕切壁構造の壁ユニットの頂部を示した斜視図である。
【図４】本発明の第一実施形態に係る間仕切壁構造を示した断面図である。
【図５】本発明の第一実施形態に係る間仕切壁構造の施工手順を説明するための図であって、天井下地材に固定アングル材を固定した状態を下方から見上げた斜視図である。
【図６】本発明の第二実施形態に係る間仕切壁構造の固定金具を示した斜視図である。
【図７】本発明の第二実施形態に係る間仕切壁構造を下方から見上げた斜視図である。
【図８】本発明の第二実施形態に係る間仕切壁構造の施工手順を説明するための図であって、（ａ）は固定金具を天井に固定する状態を示した断面図、（ｂ）は固定金具に壁ユニットを固定する状態を示した断面図である。
【図９】本発明の第二実施形態に係る間仕切壁構造の変形例を下方から見上げた一部破断斜視図である。
【図１０】本発明の第三実施形態に係る間仕切壁構造を示した断面図である。
【図１１】（ａ）は本発明の第三実施形態に係る間仕切壁構造の固定金具を示した斜視図、（ｂ）は壁ユニットの頂部を示した斜視図である。
【図１２】本発明の第三実施形態に係る間仕切壁構造の壁ユニットに固定金具を装着した状態を示した斜視図である。
【図１３】本発明の第三実施形態に係る間仕切壁構造の施工手順を説明するための図であって、（ａ）は壁ユニットと固定金具を天井に仮固定した状態を下方から見上げた斜視図、（ｂ）は壁ユニットと固定金具を天井に本固定する状態を下方から見上げた斜視図である。
【発明を実施するための形態】
【００１９】
本発明の第一実施形態に係る間仕切壁構造について図面を参照しつつ詳細に説明する。なお、説明において同一要素には同一の符号を用い、重複する説明は省略する。
【００２０】
図１に示すように、本実施形態に係る間仕切壁構造１は、壁ユニット１０を天井下地材２に移動可能に固定する構造である。間仕切壁構造１は、壁ユニット１０と固定アングル材（固定金具）２０とを備えている。
【００２１】
天井下地材２は、天井躯体から垂下された吊ボルト（図示せず）によって吊り下げられている。天井下地材２は、例えば野縁３と野縁受け（図示せず）とを格子状に組み付けて構成されている。野縁３は、野縁受けの下部に配置され、クリップを介して野縁受けに固定されている。野縁３は、例えば３００ｍｍピッチで配置されている。野縁受けは、吊ハンガーを介して吊ボルトの下端部に固定されている。なお、天井下地材２の構成は一例である。株式会社桐井製作所製のＳＱ天井を用いる場合などには、吊ボルトを用いないこともある。
【００２２】
天井下地材２の下部には、天井材４が敷設されている。本実施形態では、天井材４は、膜部材にて構成されている。膜部材は、軽量且つ柔軟であり、布状、網状またはフィルム状の薄い材料からなる。膜部材は、周縁部が周囲の壁に固定されている。膜部材の内側部分は、面積が大きい場合などに必要に応じて野縁３に固定されている。また、膜部材の固定構造は、前記の構成に限定されるものではなく、膜部材が天井下地材から吊り下げられた受材に固定されていてもよい。
【００２３】
図３および図４にも示すように、壁ユニット１０は、間仕切壁を構成する壁本体であって、下地となるフレームと表面材とを組み付けて一体化、あるいは表面材を一体化して中空状に形成されたユニットである。壁ユニット１０は、工場等で一体化されて、室内で組み付ける必要がないものが好ましい。壁ユニット１０は、本実施形態では、例えばアルミニウム合金製の中空パネルにて構成されている。なお、壁ユニット１０の構成は、一例であって、中空パネルに限定されるものではい。例えば、アルミニウム合金製のハニカムパネル等の他のパネル材であってもよい。
【００２４】
壁ユニット１０の頂部には、固定アングル材２０を装着するための凹溝１１が形成されている。凹溝１１は、壁ユニット１０の頂部の長さ方向全長に渡って延在している。凹溝１１は、壁ユニット１０の厚さ方向中間部に形成されている。凹溝１１の幅寸法は、固定アングル材２０の厚さ寸法と略同等である。凹溝１１には、固定アングル材２０の一片２１を挿入可能になっている。凹溝１１の両側の側部壁１２ａ，１２ｂには、ボルト貫通孔１３ａ，１３ｂが同軸でそれぞれ形成されている。ボルト貫通孔１３ａ，１３ｂには、固定アングル材２０を固定するためのボルトＢが挿通される。ボルト貫通孔１３ａ，１３ｂは、凹溝１１の長手方向に所定間隔（例えば３０ｍｍピッチ）をあけて複数形成されている。一方の側部壁１２ａは、他方の側部壁１２ｂよりも低くなっている。固定アングル材２０を凹溝１１に装着したときに、壁ユニット１０の上端面（側部壁１２ｂの上端面）と凹溝１１に挿入された固定アングル材２０の上端面とが面一となるように、一方の側部壁１２ａの上端面と他方の側部壁１２ｂの上端面との高さの差の寸法が設定されている（図４参照）。
【００２５】
図１、図２および図４に示すように、固定アングル材２０は、断面Ｌ字状を呈している。固定アングル材２０は、垂直方向に広がる一片２１と、水平方向に広がる他片２２とを備えている。一片２１と他片２２とは、直角に屈曲している。一片２１は、壁ユニット１０の頂部に固定される壁ユニット固定部２３となり、他片２２は、天井下地材２に磁着するための磁石２５が設けられた天井下地材固定部２４となる。固定アングル材２０は、３０ｍｍ程度の横長寸法を備えていて、所定間隔をあけて凹溝１１に装着される。固定アングル材２０は、壁ユニット１０と野縁３とが交差する位置に配置される。
【００２６】
壁ユニット固定部２３（一片２１）には、ボルト貫通孔２６が形成されている。ボルト貫通孔２６は、ボルトＢが挿通される孔であって、固定アングル材２０を凹溝１１に装着した際に、壁ユニット１０のボルト貫通孔１３ａ，１３ｂと同軸に配置される。ボルトＢは、ボルト貫通孔１３ａ，２６，１３ｂに挿通され、ナットＮによって締め付けられる。
【００２７】
天井下地材固定部２４（他片２２）は、固定アングル材２０を凹溝１１に装着した際に、一方の側部壁（低い側の側部壁）１２ａの上端面に当接する。天井下地材固定部２４は、上端部に板状の磁石２５を備えている。磁石２５はＬ形鋼の表面に接着されている。固定アングル材２０を凹溝１１に装着した際に、磁石２５の上端面は、他方の側部壁（高い側の側部壁）１２ｂの上端面と面一になる（図４参照）。磁石２５は、天井下地材２とで天井材４を挟んだ状態で天井下地材２に磁着される。
【００２８】
次に、前記構成の間仕切壁構造１の施工手順を説明する。間仕切壁構造１を施工するに際しては、まず、図５に示すように、間仕切壁を設置する位置（図５中、二点鎖線にて示す）の天井下地材２の下方に、固定アングル材２０を設置する。固定アングル材２０は、天井材４を挟んだ状態で、磁石２５を天井下地材２に磁着させることで固定する。
【００２９】
その後、図１に示すように、壁ユニット１０を下側から持ち上げて、凹溝１１に固定アングル材２０の一片２１を挿入させる。このとき、壁ユニット１０のボルト貫通孔１３ａ，１３ｂは、野縁３の配置ピッチよりも細かいピッチで多数設けられているので、固定アングル材２０のボルト貫通孔２６の位置と合わせることができる。
【００３０】
最後に、図４に示すように、ボルトＢをボルト貫通孔１３ａ，２６，１３ｂに挿通して、ナットＮによって締め付ける。これによって、天井下地材２に磁着されている固定アングル材２０に壁ユニット１０が固定されて、壁ユニット１０が天井に固定されることとなる。
【００３１】
以上のように、本実施形態に係る間仕切壁構造１によれば、間仕切壁をユニット化しているので、ランナやスタッドを組み付ける必要がない。よって、壁ユニットの設置や移動が容易である。また、固定アングル材２０の磁石２５を介して壁ユニット１０を天井下地材２に固定しているので、ボルトＢ・ナットＮを締め付ける工具以外の特別な工具を用いることなく容易に固定作業を行うことができる。また、磁石２５で固定するので、天井下地材２が通っている位置であれば、間仕切壁を任意の位置に設置することができる。したがって、レイアウトの自由度を大幅に増大することができる。
【００３２】
さらに、壁ユニット１０は、天井の下面に設けられているので、天井の形状を変更することなく、壁ユニット１０の位置を変更することができる。また、天井材４に孔をあけることなく、壁ユニット１０を設置できるので、壁ユニット１０の移動後の天井材４の補修が不要である。
【００３３】
本実施形態では、壁ユニット１０の凹溝１１に、固定アングル材２０の一片２１を挿入するとともに、ボルト止めしているので、固定アングル材２０を壁ユニット１０に容易に固定することができる。
【００３４】
さらに、壁ユニット１０の側部壁１２ｂの上端面と、凹溝１１に挿入された固定アングル材２０の上端面とが面一となっているので、壁ユニット１０の側部壁１２ｂの天端と固定アングル材２０の天端とを、天井面に対して隙間なく取り付けることができる。
【００３５】
また、固定アングル材２０の一片２１が壁ユニット固定部２３となり、固定アングル材２０の他片２２が天井下地材固定部２４となることによって、固定アングル材２０の構成が簡単になり、固定アングル材２０を容易に形成することができる。さらに、壁ユニット１０を容易に天井下地材２に固定できる。
【００３６】
次に、本発明の第二実施形態に係る間仕切壁構造について図面を参照しつつ詳細に説明する。図６および図７に示すように、第二実施形態に係る間仕切壁構造５は、壁ユニット１５と、壁ユニット１５を天井下地材２に固定するための固定金具３０とを備えている。第二実施形態では、壁ユニット１５の頂部の形状と、固定金具３０の形状が第一実施形態と異なる。
【００３７】
図７に示すように、壁ユニット１５は、間仕切壁を構成する壁本体であって、例えばアルミニウム合金製のハニカムパネルにて構成されている。壁ユニット１５は、頂部に凹溝は形成されておらず、上端面は平面状になっている。なお、壁ユニット１５は、アルミニウム合金製ハニカムパネルに限定されるものではなく、必要な剛性を備えていれば、他のパネル材であってもよい。
【００３８】
図６および図７に示すように、固定金具３０は、壁ユニット１５の頂部を覆う壁固定部３１と、磁石３３を装着する磁石装着部３２とを有している。固定金具３０は、壁固定部３１と磁石装着部３２とを一体に形成した金属製の長尺部材からなる。固定金具３０は、壁ユニット１５の横長寸法と同等の長さ寸法を有している。
【００３９】
壁固定部３１は、下向き溝形状を呈している。壁固定部３１の溝幅寸法は、壁ユニット１５の厚さ寸法と略同等である。壁固定部３１は、壁ユニット１５の頂部を上側から覆って嵌合するようになっている。
【００４０】
磁石装着部３２は、壁固定部３１の上部に形成され横向き溝形状を呈している。磁石装着部３２の底面部は、壁固定部３１の上面部の板部が兼用されている。磁石装着部３２の上面部は、天井面に当接する部位であって、下側から磁石３３を設置することで、天井下地材２に固定される。磁石装着部３２は、磁石の高さ寸法より大きい高さ寸法を有しており、横向きの溝部に磁石３３を挿入可能になっている。
【００４１】
磁石３３は、直方体形状のブロック状を呈しており、磁石装着部３２の上面部の下面に取り付けられる。なお、磁石３３の形状は、前記形状に限定されるものではなく、磁石装着部３２の上面部の上面あるいは下面に沿って設けられる長尺形状であってもよい。但し、ブロック状である方が磁石の小型化および軽量化を図ることができるので好ましい。
【００４２】
以上のような構成の間仕切壁構造５を施工するに際しては、図８の（ａ）に示すように、まず、間仕切壁を設置する位置の天井下地材２の下方に、固定金具３０を設置する。固定金具３０は、野縁３に直交する方向に延在させる。その後、磁石３３を、固定金具３０と野縁３とが交差する位置に設置して、野縁３に磁着させることで固定する。このとき、磁石３３と野縁３とで、磁石装着部３２の上面部と天井材４とを挟んでいる。
【００４３】
その後、図８の（ｂ）に示すように、壁ユニット１５を固定金具３０の下側から持ち上げて、壁固定部３１に嵌合させる。なお、壁ユニット１５の壁固定部３１への取付けは嵌合に限定されるものではない。ボルト・ナットで壁ユニット１５を壁固定部３１に固定してもよい。これによって、天井下地材２に磁着されている固定金具３０に壁ユニット１５が固定されて、壁ユニット１５が天井に固定されることとなる。
【００４４】
以上のように、本実施形態に係る間仕切壁構造５によれば、第一実施形態の間仕切壁構造１で得られる作用効果の他に以下の作用効果を得られる。つまり、第二実施形態では、磁石３３の設置位置を磁石装着部３２の上面部の範囲で任意の位置に設定できるので、ボルト貫通孔１３ａ，１３ｂの位置に固定アングル材２０の位置が限定される第一実施形態よりも間仕切壁の設置位置の自由度が大きい。
【００４５】
また、本実施形態の固定金具３０を用いれば、図９に示すように、鋼製下地４０を設置して石膏ボード（壁材）４５を貼り付けて間仕切壁を形成することもできる。なお、鋼製下地４０は、軽鉄下地であってもよい。この場合、壁固定部３１を天井ランナとして利用し、壁固定部３１にスタッド４１の上端部を挿入して固定するようにする。なお、その他の構成については、図７の間仕切壁構造５と同等であるので、同じ符号を付して説明を省略する。このような構成にすれば、間仕切壁の天井への固定を容易に行えるとともに、通常のスタッドおよび壁材を用いて間仕切壁を形成することができる。
【００４６】
次に、本発明の第三実施形態に係る間仕切壁構造について図面を参照しつつ詳細に説明する。図１０に示すように、第三実施形態に係る間仕切壁構造６は、壁ユニット５０を、磁石５５によって天井下地材２に仮固定し、ビスＶを介して天井下地材２に本固定することを特徴とする。間仕切壁構造６は、壁ユニット５０と固定アングル材（固定金具）５６とを備えている。
【００４７】
図１０および図１１に示すように、壁ユニット５０は、間仕切壁を構成する壁本体であって、本実施形態では、例えばアルミニウム合金製の中空パネルにて構成されている。壁ユニット５０の頂部には、固定アングル材５６を装着するための凹溝５１が形成されている。凹溝５１は、第一実施形態の凹溝１１と同形状である。
【００４８】
凹溝５１の両側の側部壁５２ａ，５２ｂのうち、一方の側部壁５２ａは、他方の側部壁５２ｂよりも低くなっている。他方の側部壁５２ｂの上面には、仮固定用の磁石５５が敷設されている。磁石５５は、側部壁５２ｂの全長に渡って設けられており、側部壁５２ｂの上面に接着されている。磁石５５は、仮固定用であるので、第一実施形態や第二実施形態の磁石よりも磁力が弱いものでよい。本実施形態では、固定アングル材５６の構成と磁石５５の設置位置が、第一実施形態の固定アングル材２０と異なるため、一方の側部壁５２ａの上端面と他方の側部壁５２ｂの上端面との高さの差の寸法は、第一実施形態の高さの差の寸法と異なる。具体的には、他方の側部壁５２ｂに敷設された磁石５５の上面と、固定アングル材５６の上端面とが面一となるように、一方の側部壁５２ａの上端面と他方の側部壁５２ｂの上端面との高さの差の寸法が設定されている（図１０参照）。つまり、一方の側部壁５２ａの上端面と他方の側部壁５２ｂの上端面との高さの差の寸法と、磁石５５の厚さ寸法を加えたものが、固定アングル材５６の後記する他片５８の厚さ寸法と同じになる。
【００４９】
第三実施形態の固定アングル材５６は、磁石を備えていない断面Ｌ型の鋼製部材である。固定アングル材５６は、垂直方向に広がる一片５７と、水平方向に広がる他片５８とを備えている。一片５７と他片５８とは、直角に屈曲している。一片５７は、壁ユニット５０の頂部に固定される壁ユニット固定部５９となり、他片５８は、天井下地材２にビス止めするための天井下地材固定部６０となる。固定アングル材５６は、第一実施形態の固定アングル材２０と同様に、３０ｍｍ程度の横長寸法を備えていて、所定間隔をあけて凹溝５１に装着される。固定アングル材５６は、壁ユニット５０と野縁３が交差する位置に配置される。
【００５０】
壁ユニット固定部５９（一片５７）には、貫通孔６１が形成されている。貫通孔６１は、固定アングル材５６を壁ユニット５０に固定するためのビスＶが挿通される孔である。固定アングル材５６を凹溝５１に装着した後に、片側の側部壁（本実施形態では、他方の側部壁５２ｂ）からビスＶを打ちこんで、固定アングル材５６を壁ユニット５０に固定する。ビスＶの先端は、一方の側壁部５２ａの内部に位置している（図１０参照）。なお、固定アングル材５６と壁ユニット５０の固定は、ビスに限定されるものではなく、ボルト・ナットを用いて行ってもよい。この場合、側部壁５２ａ，５２ｂに、ボルト貫通孔を同軸でそれぞれ形成する。
【００５１】
天井下地材固定部６０（他片５８）は、固定アングル材５６を凹溝５１に装着した際に、一方の側部壁（低い側の側部壁）５２ａの上端面に当接する。天井下地材固定部６０の先端部は、側部壁５２ａの外側面よりも突出している。天井下地材固定部６０には、固定アングル材５６を天井下地材２にビス止めするためのビス孔６２が形成されている。ビス孔６２は、側部壁５２ａの外側面よりも突出した天井下地材固定部６０の先端部に形成されている。ビスＶは、天井下地材固定部６０の下方から、天井下地材固定部６０、天井材４および野縁３に打ち込まれる。天井下地材固定部６０は、野縁３とで天井材４を挟んだ状態で天井下地材２に固定される。
【００５２】
次に、前記構成の間仕切壁構造６の施工手順を説明する。間仕切壁構造６を施工するに際しては、図１２に示すように、まず、予め磁石５５が敷設されている壁ユニット５０の凹溝５１に、固定アングル材５６の一片５７を挿入させる。固定アングル材５６は、野縁３の配置位置に対応する位置に設置する。そして、ビスＶを、側壁部５２ｂ側から固定アングル材５６の貫通孔６１に打ち込んで、固定アングル材５６を壁ユニット５０に固定する。
【００５３】
その後、図１３の（ａ）に示すように、壁ユニット５０を天井面に突き当てて、磁石５５を野縁３に磁着させることで、壁ユニット５０を天井下地材２に仮固定する。このとき、固定アングル材５６の他片５８が、野縁３の下方に位置するように、壁ユニット５０を配置する。そして、天井下地材固定部６０の下方から、天井下地材固定部６０、天井材４および野縁３にビスＶを打ち込む。このとき、壁ユニット５０は、磁石５５によって天井下地材２に仮固定されているので、ビスＶの打ち込み作業を安定した状態で容易に行うことができる。以上の作業によって、壁ユニット５０が、天井下地材２に磁着されるとともにビス止めされて、天井に固定されることとなる。
【００５４】
本実施形態の間仕切壁構造６によれば、ランナやスタッドを組み付ける必要がないので、壁ユニット５０の設置や移動が容易である。また、壁ユニット５０を、磁石５５を介して仮固定するとともにビス止めしているので、ビス止めの工具以外の特別な工具を用いることなく容易に固定作業を行うことができる。壁ユニット５０は、天井の下面に設けられているので、天井の形状を変更することなく、壁ユニット５０の位置を変更することができる。また、野縁３が設けられている範囲においては任意の位置に、壁ユニット５０を設置することができるので、レイアウトの自由度を増大することができる。
【００５５】
以上、本発明を実施するための形態についてそれぞれ説明したが、本発明は前記実施形態に限定されず、本発明の趣旨を逸脱しない範囲で、材質、形状や大きさなど適宜設計変更が可能である。例えば、前記実施形態では、野縁３に対して直交する方向に間仕切壁を配置しているが、間仕切壁の配置位置はこれに限定されるものではない。野縁３に対して斜めに傾斜する方向に間仕切壁を配置してもよい。
【００５６】
また、前記実施形態では、固定アングル材２０を挿入するための凹溝１１は、壁ユニット１０の全長に渡って設けられているが、これに限定されるものではない。凹溝を固定アングル材２０の設置位置にスポットで形成するようにしてもよい。
【００５７】
さらに、前記実施形態では、天井材４は、膜部材にて構成されているが、これに限定されるものではない。天井材４は、磁力を通過させる板材、或いは磁性体を含み磁石を磁着することができる板材であってもよい。但し、膜部材を用いた方が、天井下地材２に磁石を固定し易いので好ましい。
【符号の説明】
【００５８】
１      間仕切壁構造
２      天井下地材
４      天井材
５      間仕切壁構造
６      間仕切壁構造
１０    壁ユニット
１１    凹溝
１５    壁ユニット
２０    固定アングル材
２１    一片
２２    他片
２３    壁ユニット固定部
２４    天井下地材固定部
２５    磁石
３０    固定金具
３１    壁固定部
３２    磁石装着部
３３    磁石
５０    壁ユニット
５１    凹溝
５５    磁石
５６    固定アングル材
５７    一片
５８    他片
５９    壁ユニット固定部
６０    天井下地材固定部
【図１】
2018204360.tif 000003
【図２】
2018204360.tif 000004
【図３】
2018204360.tif 000005
【図４】
2018204360.tif 000006
【図５】
2018204360.tif 000007
【図６】
2018204360.tif 000008
【図７】
2018204360.tif 000009
【図８】
2018204360.tif 000010
【図９】
2018204360.tif 000011
【図１０】
2018204360.tif 000012
【図１１】
2018204360.tif 000013
【図１２】
2018204360.tif 000014
【図１３】
2018204360.tif 000015